(57)【要約】【課題】コネクタ部材を被取付部材に取り付ける場合に、一方向に限られず、コネクタ部材の取り付けやすい方向に取り付けることができるカバー部材、カバーユニット及びコネクタを提供する。【解決手段】コネクタ部材１２と嵌合されると共に、被取付部材１６２に取り付けられるカバーハウジング７８を有するカバー部材７６であって、カバーハウジング７８には、被取付部材１６２に取り付けるための複数の取付部１０４、１２２を有し、取付部１０４、１２２はそれぞれ、被取付部材１６２に対してコネクタ部材１２との嵌合方向が異なる向きとなるように形成されている。【選択図】図１
2018107073.tif 000002
【特許請求の範囲】
【請求項１】
コネクタ部材と嵌合されると共に、被取付部材に取り付けられるカバーハウジングを有するカバー部材であって、
前記カバーハウジングは、前記被取付部材に取り付けるための複数の取付部を有していることを特徴とするカバー部材。
【請求項２】
前記取付部はそれぞれ、前記被取付部材に対して前記コネクタ部材との嵌合方向が異なる向きとなるように形成されていることを特徴とする請求項１に記載のカバー部材。
【請求項３】
前記取付部は、前記カバーハウジングが前記被取付部材に対して前記コネクタ部材が嵌合される方向に沿って取り付けることができる第１取付部と、
前記カバーハウジングが前記被取付部材に対して前記コネクタ部材が嵌合される方向に対して直交する方向に取り付けることができる第２取付部と、を含んでいることを特徴とする請求項１又は２に記載のカバー部材。
【請求項４】
前記取付部はそれぞれ、前記被取付部材に対して前記コネクタ部材との嵌合方向が同じ向きとなるように形成されていることを特徴とする請求項１に記載のカバー部材。
【請求項５】
前記取付部はそれぞれ、前記被取付部材に対して前記コネクタ部材との嵌合方向が異なる向きとなるものと、
前記異なる向きの前記取付部の少なくとも１つと同じ向きとなるものと、が形成されていることを特徴とする請求項１に記載のカバー部材。
【請求項６】
前記カバーハウジングは、前記取付部に前記被取付部材が挿入されて取り付けられる構成となっていることを特徴とする請求項１〜５のいずれかに記載のカバー部材。
【請求項７】
前記取付部には、挿入された前記被取付部材に設けられた被係止部と係止される係止部がそれぞれ設けられていることを特徴とする請求項１〜６のいずれかに記載のカバー部材。
【請求項８】
前記カバーハウジングは、前記取付部が前記被取付部材に形成された孔部に挿入されて取り付けられる構成となっていることを特徴とする請求項１〜５のいずれかに記載のカバー部材。
【請求項９】
コネクタ部材と嵌合されるカバーハウジングを有するカバー部材と、前記カバー部材に取り付けられる取付補助部材と、を有するカバーユニットであって、
前記カバーハウジングには、複数の取付部が形成されており、
前記取付補助部材は、前記取付部のいずれかに装着される装着部を有していることを特徴とするカバーユニット。
【請求項１０】
前記カバーハウジングの前記取付部はそれぞれ、前記被取付部材に対して前記コネクタ部材との嵌合方向が異なる向きとなるように形成されていることを特徴とする請求項９に記載のカバーユニット。
【請求項１１】
前記取付部は、前記カバーハウジングが前記被取付部材に対して前記コネクタ部材が嵌合される方向に沿って取り付けることができる第１取付部と、
前記カバーハウジングが前記被取付部材に対して前記コネクタ部材が嵌合される方向に対して直交する方向に取り付けることができる第２取付部と、を含んでいることを特徴とする請求項１０に記載のカバーユニット。
【請求項１２】
前記カバーハウジングの前記取付部はそれぞれ、前記被取付部材に対して前記コネクタ部材との嵌合方向が同じ向きとなるように形成されていることを特徴とする請求項９に記載のカバーユニット。
【請求項１３】
前記カバーハウジングの前記取付部はそれぞれ、前記被取付部材に対して前記コネクタ部材との嵌合方向が異なる向きとなるものと、
前記異なる向きの前記取付部の少なくとも１つと同じ向きとなるものと、が形成されていることを特徴とする請求項９に記載のカバーユニット。
【請求項１４】
前記取付補助部材は、前記被取付部材に形成された孔部に挿入され、且つ、固定されるクリップ部を有することを特徴とする請求項９〜１３のいずれかに記載のカバーユニット。
【請求項１５】
請求項１〜８のいずれかに記載の前記カバー部材と、前記コネクタ部材と、が嵌合されたことを特徴とするコネクタ。
【請求項１６】
請求項９〜１４のいずれかに記載の前記カバーユニットの前記カバー部材と、前記コネクタ部材と、が嵌合されたことを特徴とするコネクタ。
【発明の詳細な説明】
【技術分野】
【０００１】
本発明は、コネクタ部材と嵌合させた状態で水や粉塵等からの保護機能を有し、且つ、嵌合させたコネクタ部材を複数の定められた位置に固定させることができるカバー部材、カバーユニット及びコネクタに関する。
【背景技術】
【０００２】
例えば、二輪車や自動車等の車両において、検査以外で使用しないコネクタ部材を車体に取り付けて固定したり、水や粉塵等から保護したりする部材として、例えば、下記特許文献１にダミーキャップの発明が開示されている。下記特許文献１に開示されたダミーキャップの発明は、内部にターミナルを配設したコネクタハウジングの開口部と嵌合してその内部のターミナルを保護するキャップ部と、固定部材側に対して係脱可能なクリップ部と、からなるダミーキャップであって、しかも、上記クリップ部が上記キャップ部と一体的に形成されているとしている。
【先行技術文献】
【特許文献】
【０００３】
【特許文献１】実開平０７−００８９７１号公報
【発明の概要】
【発明が解決しようとする課題】
【０００４】
しかし、上記特許文献１に開示されたダミーキャップを用いた場合、取り付け方向が固定部材に対して水平方向の一方向でしか取り付けることができないため、取り付け方向が限定され、作業性を損なうおそれがある。
【０００５】
本発明は上述のような従来技術の課題を解決するためになされたものであって、本発明の目的は、取り付ける被取付部材に対してコネクタ部材を取り付ける方向が選択可能なカバー部材、カバーユニット及びコネクタを提供することにある。
【課題を解決するための手段】
【０００６】
上記目的を達成するために、本発明の第１の態様のカバー部材は、コネクタ部材と嵌合されると共に、被取付部材に取り付けられるカバーハウジングを有するカバー部材であって、
前記カバーハウジングは、前記被取付部材に取り付けるための複数の取付部を有していることを特徴とする。
【０００７】
また、第２の態様のカバー部材は、第１の態様のカバー部材において、前記取付部はそれぞれ、前記被取付部材に対して前記コネクタ部材との嵌合方向が異なる向きとなるように形成されていることを特徴とする。
【０００８】
また、第３の態様のカバー部材は、第１又は第２の態様のカバー部材において、前記取付部は、前記カバーハウジングが前記被取付部材に対して前記コネクタ部材が嵌合される方向に沿って取り付けることができる第１取付部と、
前記カバーハウジングが前記被取付部材に対して前記コネクタ部材が嵌合される方向に対して直交する方向に取り付けることができる第２取付部と、を含んでいることを特徴とする。
【０００９】
また、第４の態様のカバー部材は、第１の態様のカバー部材において、前記取付部はそれぞれ、前記被取付部材に対して前記コネクタ部材との嵌合方向が同じ向きとなるように形成されていることを特徴とする。
【００１０】
また、第５の態様のカバー部材は、第１の態様のカバー部材において、前記取付部はそれぞれ、前記被取付部材に対して前記コネクタ部材との嵌合方向が異なる向きとなるものと、
前記異なる向きの前記取付部の少なくとも１つと同じ向きとなるものと、が形成されていることを特徴とする。
【００１１】
また、第６の態様のカバー部材は、第１〜第５のいずれかの態様のカバー部材において、前記カバーハウジングは、前記取付部に前記被取付部材が挿入されて取り付けられる構成となっていることを特徴とする。
【００１２】
また、第７の態様のカバー部材は、第１〜第６のいずれかの態様のカバー部材において、前記取付部には、挿入された前記被取付部材に設けられた被係止部と係止される係止部がそれぞれ設けられていることを特徴とする。
【００１３】
また、第８の態様のカバー部材は、第１〜第５のいずれかの態様のカバー部材において、前記カバーハウジングは、前記取付部が前記被取付部材に形成された孔部に挿入されて取り付けられる構成となっていることを特徴とする。
【００１４】
第９の態様のカバーユニットは、コネクタ部材と嵌合されるカバーハウジングを有するカバー部材と、前記カバー部材に取り付けられる取付補助部材と、を有するカバーユニットであって、
前記カバーハウジングには、複数の取付部が形成されており、
前記取付補助部材は、前記取付部のいずれかに装着される装着部を有していることを特徴とする。
【００１５】
また、第１０の態様のカバーユニットは、第９の態様のカバーユニットにおいて、前記カバーハウジングの前記取付部はそれぞれ、前記被取付部材に対して前記コネクタ部材との嵌合方向が異なる向きとなるように形成されていることを特徴とする。
【００１６】
また、第１１の態様のカバーユニットは、第１０の態様のカバーユニットにおいて、前記取付部は、前記カバーハウジングが前記被取付部材に対して前記コネクタ部材が嵌合される方向に沿って取り付けることができる第１取付部と、
前記カバーハウジングが前記被取付部材に対して前記コネクタ部材が嵌合される方向に対して直交する方向に取り付けることができる第２取付部と、を含んでいることを特徴とする。
【００１７】
また、第１２の態様のカバーユニットは、第９の態様のカバーユニットにおいて、前記カバーハウジングの前記取付部はそれぞれ、前記被取付部材に対して前記コネクタ部材との嵌合方向が同じ向きとなるように形成されていることを特徴とする。
【００１８】
また、第１３の態様のカバーユニットは、第９の態様のカバーユニットにおいて、前記カバーハウジングの前記取付部はそれぞれ、前記被取付部材に対して前記コネクタ部材との嵌合方向が異なる向きとなるものと、
前記異なる向きの前記取付部の少なくとも１つと同じ向きとなるものと、が形成されていることを特徴とする。
【００１９】
また、第１４の態様のカバーユニットは、第９〜第１３の態様のカバーユニットにおいて、前記取付補助部材は、前記被取付部材に形成された孔部に挿入され、且つ、固定されるクリップ部を有することを特徴とする。
【００２０】
第１５の態様のコネクタは、第１〜第８のいずれかに記載の前記カバー部材と、前記コネクタ部材と、が嵌合されたことを特徴とする。
【００２１】
第１６の態様のコネクタは、第９〜第１４のいずれかに記載の前記カバーユニットの前記カバー部材と、前記コネクタ部材と、が嵌合されたことを特徴とする。
【発明の効果】
【００２２】
第１の態様のカバー部材によれば、コネクタ部材を被取付部材に取り付ける場合に、コネクタ部材の取り付けやすい方向に取り付けることができるようになる。
【００２３】
また、第２又は第３の態様のカバー部材によれば、コネクタ部材を被取付部材に取り付ける場合に、一方向に限られず、コネクタ部材の取り付けやすい方向に取り付けることができるようになる。
【００２４】
また、第４の態様のカバー部材によれば、コネクタ部材を被取付部材に取り付ける場合に、同じ方向であっても、コネクタ部材の取り付けやすい向きに取り付けることができるようになる。
【００２５】
第５の態様のカバー部材によれば、コネクタ部材を被取付部材に取り付ける場合に、コネクタ部材の取り付けやすい方向に取り付けることができるようになる。
【００２６】
また、第６の態様のカバー部材によれば、被取付部材が板状や棒状に形成されている場合に、取付部との取り付けを簡単に行うことができるようになる。
【００２７】
また、第７の態様のカバー部材によれば、被取付部材から外れることを抑制することができるようになる。
【００２８】
また、第８の態様のカバー部材によれば、被取付部材に形成された孔部に例えば、突起状に形成された取付部を挿入することで簡単に取り付けを行うことができるようになる。
【００２９】
第９の態様のカバーユニットによれば、カバー部材の構成を変更せずに、被取付部材に形成された孔部への取り付けを行うことができ、コネクタ部材を被取付部材に取り付ける場合に、コネクタ部材の取り付けやすい方向に取り付けることができるようになる。
【００３０】
また、第１０及び第１１の態様のカバーユニットによれば、コネクタ部材を被取付部材に取り付ける場合に、一方向に限られず、コネクタ部材の取り付けやすい方向に取り付けることができるようになる。
【００３１】
また、第１２の態様のカバーユニットによれば、コネクタ部材を被取付部材に取り付ける場合に、同じ方向であっても、コネクタ部材の取り付けやすい向きに取り付けることができるようになる。
【００３２】
第１３の態様のカバーユニットによれば、コネクタ部材を被取付部材に取り付ける場合に、コネクタ部材の取り付けやすい方向に取り付けることができるようになる。
【００３３】
また、第１４の態様のカバーユニットによれば、被取付部材への取付補助部材の取り付けを容易に行うことができるようになる。
【００３４】
第１５の態様のコネクタによれば、コネクタ部材の取り付けやすい嵌合方向で被取付部材に取り付けられたカバー部材にコネクタ部材を嵌合させることができる。
【００３５】
第１６の態様のコネクタによれば、コネクタ部材の取り付けやすい嵌合方向で被取付部材に取り付けられたカバーユニットのカバー部材にコネクタ部材を嵌合させることができる。
【図面の簡単な説明】
【００３６】
【図１】図１Ａは実施形態１のコネクタを一方から被取付部材に取り付けた状態を示す斜視図であり、図１Ｂは他の方向から被取付部材に取り付けた状態を示す斜視図である。
【図２】図１Ａに示す状態のコネクタと被取付部材の分解斜視図である。
【図３】図１Ｂに示す状態のコネクタと被取付部材の分解斜視図である。
【図４】コネクタ部材に係る図２のＩＶ−ＩＶ線での断面図である。
【図５】図５Ａはハウジングの斜視図であり、図５Ｂは他方から見た斜視図である。
【図６】図６Ａはハウジングの正面図であり、図６Ｂは後面図であり、図６Ｃは図５ＡのVIC−VIC線での断面図である。
【図７】図７Ａはカバー部材の一方から見た斜視図であり、図７Ｂは他方から見た斜視図であり、図７Ｃは図７ＡのVIIC−VIIC線での断面図である。
【図８】図８Ａはカバー部材の正面図であり、図８Ｂは平面図であり、図８Ｃは底面図であり、図８Ｄは側面図であり、図８Ｅは他の方向から見た側面図であり、図８Ｆは後面図である。
【図９】図９Ａはカバー部材に被取付部材を一方から取り付ける場合を説明する斜視図であり、図９Ｂはカバー部材に被取付部材を取り付けた状態を示す斜視図であり、図９Ｃは図９ＢのIXC−IXC線での斜視図である。
【図１０】図１０Ａは一方から被取付部材が取り付けられたカバー部材とコネクタ部材の嵌合を説明する斜視図であり、図１０Ｂはカバー部材とコネクタ部材を嵌合させた状態を示す斜視図であり、図１０Ｃは図１０ＢのＸＣ−ＸＣ線での断面図である。
【図１１】図１１Ａはカバー部材に被取付部材を他方から取り付ける場合を説明する斜視図であり、図１１Ｂはカバー部材に被取付部材を取り付けた状態を示す斜視図であり、図１１Ｃは図１１ＢのXIC−XIC線での斜視図である。
【図１２】図１２Ａは他方から被取付部材が取り付けられたカバー部材とコネクタ部材の嵌合を説明する斜視図であり、図１２Ｂはカバー部材とコネクタ部材を嵌合させた状態を示す斜視図であり、図１２Ｃは図１２ＢのＸIIＣ−ＸIIＣ線での断面図である。
【図１３】図１３Ａは実施形態２のコネクタを一方から被取付部材に取り付けた状態を示す斜視図であり、図１３Ｂは他の方向から被取付部材に取り付けた状態を示す斜視図である。
【図１４】図１３Ａに示す状態のコネクタと被取付部材の分解斜視図である。
【図１５】図１３Ｂに示す状態のコネクタと被取付部材の分解斜視図である。
【図１６】図１６Ａは取付補助部材の斜視図であり、図１６Ｂは他方から見た斜視図である。
【図１７】図１７Ａは取付補助部材の平面図であり、図１７Ｂは底面図であり、図１７Ｃは図１６ＡのXVIIC−XVIIC線での断面図である。
【図１８】図１８Ａは一方からカバー部材へ取付補助部材を装着する場合を説明する斜視図であり、図１８Ｂはカバー部材と取付補助部材が装着されたカバーユニットの状態を示す斜視図であり、図１８Ｃは図１８ＢのXVIIIC−XVIIIC線での断面図である。
【図１９】図１９Ａは一方から取付補助部材がカバー部材に装着されたカバーユニットを被取付部材への取り付ける場合を説明する斜視図であり、図１９Ｂはカバーユニットが被取付部材に取り付けられた状態を示す斜視図であり、図１９Ｃは図１９ＢのXIXC−XIXC線での断面図である。
【図２０】図２０Ａは一方から取付補助部材がカバー部材に装着されたカバーユニットとコネクタ部材との嵌合を説明する斜視図であり、図２０Ｂはカバーユニットにコネクタ部材が嵌合された状態を示す斜視図である。
【図２１】図２１Ａは他方からカバー部材へ取付補助部材を装着する場合を説明する斜視図であり、図２１Ｂはカバー部材と取付補助部材が装着されたカバーユニットの状態を示す斜視図であり、図２１Ｃは図２１ＢのXXIC−XXIC線での断面図である。
【図２２】図２２Ａは他方から取付補助部材がカバー部材に装着されたカバーユニットを被取付部材への取り付ける場合を説明する斜視図であり、図２２Ｂはカバーユニットが被取付部材に取り付けられた状態を示す斜視図であり、図２２Ｃは図２２ＢのXXIIC−XXIIC線での断面図である。
【図２３】図２３Ａは他方から取付補助部材がカバー部材に装着されたカバーユニットとコネクタ部材との嵌合を説明する斜視図であり、図２３Ｂはカバーユニットにコネクタ部材が嵌合された状態を示す斜視図である。
【発明を実施するための形態】
【００３７】
以下、図面を参照して本発明の実施形態を説明する。但し、以下に示す実施形態は、本発明の技術思想を具体化するためのカバー部材、カバーユニット及びコネクタを例示するものであって、本発明をこれに特定することを意図するものではなく、特許請求の範囲に含まれるその他の実施形態のものにも等しく適応し得るものである。
【００３８】
［実施形態１］
まず、実施形態１に係るコネクタ１０について、図１〜図１２を参照して説明する。実施形態１のコネクタ１０は、図１に示すように、少なくとも１つのコンタクト５４が設けられたコネクタ部材１２と、このコネクタ部材１２に嵌合されるカバー部材７６とを有しており、コネクタ部材１２とカバー部材７６とが嵌合されるように構成されている。
【００３９】
そして、実施形態１のコネクタ部材１２は、二輪車や自動車等の車両等の検査等に用いられるものとなり、検査用の装置に設けられた相手側コネクタ部材と接続されて用いられるものとなっている。一方、コネクタ部材１２が検査等に使用されない場合は、車両等の所定の場所に設けられた被取付部材１６２に予め取り付けられたカバー部材７６に、コネクタ部材１２を嵌合させることで、コネクタ部材１２が車両等に固定され、且つ、水や粉塵等から保護されるようになる。
【００４０】
このとき、実施形態１のコネクタ１０は、カバー部材７６の被取付部材１６２への取り付けにおいて、例えば、図１Ａ、図２に示すように、被取付部材１６２に対して、コネクタ部材１２とカバー部材７６の嵌合方向が略水平方向となるように取り付けられる場合と、図１Ｂ、図３に示すように、被取付部材１６２に対して、コネクタ部材１２とカバー部材７６の嵌合方向が略垂直方向となるように取り付けられる場合とが選択できるように構成されている。
【００４１】
すなわち、カバー部材７６は、図１Ａ，図２に示すように、被取付部材１６２に対してコネクタ部材１２が水平に嵌合されるように取り付けられる場合と、図１Ｂ、図３に示すように、被取付部材１６２に対してコネクタ部材１２が垂直に嵌合されるように取り付けられる場合となるような構成とされている。
【００４２】
なお、実施形態１の被取付部材１６２は、図２、図３に示すように、後述するカバー部材７６に形成された各取付部１０４、１２２に挿入可能な幅の板状体で形成されており、この被取付部材１６２の面の一部に開口された被係止部１６４が形成されている。また、被取付部材１６２は、カバー部材７６の各取付部１０４、１２２へ先に挿入される先端部１６６と被係止部１６４との間に凸状に盛り上がった凸部１６８が挿入方向に対して直交する方向に形成されている。以下、各構成について説明する。
【００４３】
まず、図４〜図６を参照して、実施形態１のコネクタ部材１２について説明する。実施形態１のコネクタ部材１２は、電線６８が装着された少なくとも１つ、実施形態１では６つのコンタクト５４と、これらのコンタクト５４がそれぞれ収容されるコネクタハウジング１４と、コネクタハウジング１４内で各コンタクトを固定するリテーナ７２と、で構成されている。また、コネクタ部材１２の内部には、嵌合されたカバー部材７６との隙間を埋める樹脂製のシール部材７４が設けられており、電線６８には、電線６８とコネクタハウジング１４内の電線保持部４２（図４参照）との隙間を埋める樹脂製の電線シール部材７０が設けられている。
【００４４】
実施形態１のコネクタ部材１２のコネクタハウジング１４は、図５、図６に示すように、一方にカバー部材７６が挿入される開口部１８を有する前面１６と、他方にコンタクト５４に装着された複数の電線６８が挿通される挿通口２２が形成された後面２０と、ロック機構２６が形成された上面２４と、上面２４と対向する底面２８と、一方の側面３０及び他方の側面３２と、を有し、樹脂材料で一体に形成されている。
【００４５】
また、コネクタハウジング１４の内側には、コンタクト５４が保持される柱状のコンタクト保持部３４が後面２０側から前面１６側に向かって突出して形成されており、このコンタクト保持部３４の前面１６側には、相手側のコンタクト（図示省略）が挿入される複数のコンタクト挿入口３８が形成されている。
【００４６】
さらに、コンタクト保持部３４の内部には、コンタクト５４が収容され、保持されるコンタクト収容部４０が形成され、コンタクト挿入口３８と連通されている。また、コンタクト保持部３４の後面２０側には、電線６８が保持される電線保持部４２がそれぞれ形成され、コネクタハウジング１４の後面２０に形成された挿通口２２とそれぞれ連通されている。そして、コンタクト収容部４０と電線保持部４２は、コンタクト保持部３４内でそれぞれ連通されて形成されており、前面１６側のコンタクト挿入口３８と後面２０側の挿通口２２が連通されている。
【００４７】
また、コンタクト保持部３４には、コンタクト収容部４０に収容されたコンタクト５４を固定するランス４６がそれぞれ形成されている。
【００４８】
また、コネクタハウジング１４の上面２４側、底面２８側、一方の側面３０側及び他方の側面３２側の内側と、コンタクト保持部３４の外周との間には、隙間部３６が形成されており、この隙間部３６に後述するカバー部材７６の一部が挿入されるようになる。なお、コンタクト保持部３４の外周の後面２０側は、シール部材７４が取り付けられるシール部材取付部４４となっている。
【００４９】
また、コネクタハウジング１４の他方の側面３２には、リテーナ７２が挿入されるリテーナ挿入口５０が形成され、コネクタハウジング１４の内部には、このリテーナ７２が取り付けられるリテーナ取付部５２が他方の側面３２から一方の側面３０側に亘って形成されている。
【００５０】
さらに、コネクタハウジング１４の一方の側面３０及び他方の側面３２の内側には、嵌合方向に沿って溝状に形成されたガイド溝部４８がそれぞれ形成されている。このガイド溝部４８は、後述するカバー部材７６に形成されたガイド突部９６に嵌め合わされ、嵌合時に案内されるようになる。
【００５１】
また、コネクタハウジング１４の上面２４側に形成されたロック機構２６は、後述するカバー部材７６に形成された係合部８８と係合される部分となる。
【００５２】
また、実施形態１のコンタクト５４は、図４に示すように、一方に、相手側のコネクタ部材が有するコンタクト（図示省略）と接触される接触片５８を内部に有する接触部５６を有し、他方に電線６８が接続される電線接続部６０が形成されている。電線接続部６０は、複数の接続片６２を有しており、これらに挟持されることで、電線６８が装着されるようになる。このとき、接続片６２は、電線シール部材７０と共に電線６８が挟持されるようになっている。なお、コンタクト５４に装着された電線６８は、例えば、車両内部に設けられた各種の機器や装置等につながれている。
【００５３】
また、コンタクト５４のコネクタハウジング１４の上面２４側に配置される側には、コンタクト保持部３４に形成されたランス４６が係止されるランス係止部６４が形成されている。さらにまた、コンタクト５４の接触部５６の電線接続部６０側には、リテーナ７２と係合されるリテーナ係合部６６が形成されている。
【００５４】
また、コネクタ部材１２の組み立ては、まず、コネクタハウジング１４の内側のコンタクト保持部３４の外周に形成されたシール部材取付部４４にシール部材７４を取り付ける。
【００５５】
その後、コネクタハウジング１４の他方の側面３２に形成されたリテーナ挿入口５０からリテーナ７２を挿入し、コネクタハウジング１４内にリテーナ７２を所定の仮止め位置にて仮止めさせる。
【００５６】
そして、コネクタハウジング１４の後面２０に形成された挿通口２２から、電線６８を接続させたコンタクト５４を、接触部５６が先になるようにしてそれぞれ挿入させ、コンタクト収容部４０に収容させる。このとき、コンタクト５４は、仮止めされたリテーナ７２に形成された貫通孔（不図示）を貫通させると共に、コンタクト保持部３４内に形成されたランス４６がコンタクト５４のランス係止部６４に係止されるようになる。このランス４６がコンタクト５４のランス係止部６４に係止されることで、コンタクト５４がコンタクト収容部４０に固定されると共に、抜け止めされるようになる。
【００５７】
また、電線６８に取り付けられた電線シール部材７０は、電線保持部４２に挿入されることで、電線６８と電線保持部４２との隙間が埋まるようになり、水や粉塵等の浸入が抑制される。
【００５８】
次に、コネクタハウジング１４の他方の側面３２のリテーナ挿入口５０から挿入されて、仮止めされていたリテーナ７２をさらに挿入させ、コンタクト５４をコネクタハウジング１４内に固定させる。このとき、挿入されたリテーナ７２は、コネクタハウジング１４内のリテーナ取付部５２に取り付けられると共に、コンタクト５４のリテーナ係合部６６と係合されるようになる。以上で、コネクタ部材１２の組み立てが完了する（図２〜図６参照）。
【００５９】
次に、図７、図８を参照して実施形態１のカバー部材７６について説明する。カバー部材７６は、コネクタ部材１２と嵌合される嵌合開口部８２が形成された前面部８０と、前面部８０と対向し、閉塞された後面部８４と、コネクタ部材１２のロック機構２６と係合される係合部８８が形成された上面部８６と、上面部８６と対向する底面部９０と、一方の側面部９２及び他方の側面部９４と、を有し、樹脂材料で一体に形成された箱状体のカバーハウジング７８を有している。
【００６０】
また、カバーハウジング７８の内部は、前面部８０に形成された嵌合開口部８２から挿入されたコネクタ部材１２のコンタクト保持部３４が収容される収容空間９８となっている。この収容空間９８は、図７Ｃに示すように、空洞となっている。
【００６１】
なお、カバー部材の上面部８６、底面部９０、一方の側面部９２及び他方の側面部９４が前面部８０側からコネクタ部材１２の隙間部３６に挿入されるようになる。
【００６２】
また、カバー部材７６は、複数、実施形態１では、２つの取付部１０４、１２２を有しており、この取付部１０４、１２２は、カバーハウジング７８の底面部９０側に形成された第１取付部１０４と、後面部８４側に形成された第２取付部１２２と、からなっている。
【００６３】
第１取付部１０４は、底面部９０側から離間された位置に設けられ、後面部８４から延設された延設部１００により繋がれて形成されており、底面部９０との間にコネクタ部材１２の底面２８側が挿通される挿通溝部１２０を有するように形成されている。
【００６４】
また、第１取付部１０４は、内部に挿入された被取付部材１６２を囲うような筒状に形成されており、カバーハウジング７８の一方の側面部９２側及び他方の側面部９４側が一部曲面状になるように構成されている。
【００６５】
また、第１取付部１０４は、カバーハウジング７８の後面部８４側に被取付部材１６２が挿入される第１挿入口１０６が形成されており、内部には、第１挿入口１０６から挿入された被取付部材１６２が配置される第１配置部１０８が形成されている。
【００６６】
また、第１取付部１０４の挿通溝部１２０とは反対側は、略中央部分に、被取付部材１６２に形成された被係止部１６４に係止される第１係止部１１０が形成されている。この第１係止部１１０は、弾性変形可能な第１片部１１２と、この第１片部１１２の第１配置部１０８側に突出された第１突部１１４とで構成されている。また、第１取付部１０４の第１片部１１２の両側は切り欠かれた第１切り欠き部１１６がそれぞれ形成されており、この第１切り欠き部１１６の両側は、それぞれ第１支持突部１１８となっている。
【００６７】
そして、カバー部材７６は、カバーハウジング７８の第１取付部１０４に被取付部材１６２が後面部８４側から挿入されることで、被取付部材１６２に対してコネクタ部材１２が略水平に嵌合されるように配置されるようになる。
【００６８】
一方、第２取付部１２２は、カバーハウジング７８の後面部８４側に形成されている。この第２取付部１２２は、後面部８４に直接形成されており、実施形態１では、他方の側面部９４側に被取付部材１６２が挿入される第２挿入口１２４が形成され、内部に挿入された被取付部材１６２が囲われるように後面部８４を一面とした筒状に形成されている。また、第２取付部１２２の内部には、第２挿入口１２４から挿入された被取付部材１６２が配置される第２配置部１２６が形成されている。
【００６９】
また、第２取付部１２２の後面部８４とは反対側は、略中央部分に、被取付部材１６２に形成された被係止部１６４に係止される第２係止部１２８が形成されている。この第２係止部１２８は、弾性変形可能な第２片部１３０と、この第２片部１３０の第２配置部１２６側に突出された第２突部１３２とで構成されている。
【００７０】
また、第２取付部１２２の第２片部１３０の両側は切り欠かれた第２切り欠き部１３４がそれぞれ形成されており、この第２切り欠き部１３４の両側は、それぞれ第２支持突部１３６となっている。
そして、カバー部材７６は、カバーハウジング７８の第２取付部１２２に被取付部材１６２が他方の側面部９４側から挿入されることで、被取付部材１６２に対してコネクタ部材１２が略垂直に嵌合されるように配置されるようになる。
【００７１】
また、カバーハウジング７８の上面部８６には、係合部８８が突出して形成されている。この係合部８８は、コネクタ部材１２に形成されたロック機構２６と係合されるようになる。
【００７２】
また、カバーハウジング７８の一方の側面部９２及び他方の側面部９４には、カバー部材７６の嵌合方向に沿って突出したガイド突部９６がそれぞれ形成されており、コネクタ部材１２に形成されたガイド溝部４８に嵌め合わされる部分となる。
【００７３】
次に、カバー部材７６の被取付部材１６２への取り付け、及びカバー部材７６とコネクタ部材１２の嵌合について説明する。なお、実施形態１では、上述したようにカバー部材７６は、被取付部材１６２に対して、コネクタ部材１２との嵌合方向が、略水平に取り付けられる場合と、略垂直に取り付けられる場合とが選択できるようになる。
【００７４】
まず、主に図１Ａ、図２、図９、図１０を参照して、カバー部材７６とコネクタ部材１２との嵌合方向が被取付部材１６２に対して略水平となる場合について説明する。
【００７５】
被取付部材１６２に対してコネクタ部材１２の嵌合方向が略水平となる場合は、図９に示すように、カバー部材７６の底面部９０側に形成された第１取付部１０４に被取付部材１６２が取り付けられる。この取り付けは、被取付部材１６２を先端部１６６を先にして、カバー部材７６のカバーハウジング７８の後面部８４側から、底面部９０側に形成された第１取付部１０４の第１挿入口１０６に挿入させて行う。このとき、被取付部材１６２とカバー部材７６の取り付け方向は、コネクタ部材１２とカバー部材７６の嵌合方向と同じ向きとなっている。
【００７６】
また、図９Ｃに示すように、第１取付部１０４に挿入された被取付部材１６２は、第１取付部１０４に形成された第１係止部１１０と被取付部材１６２に形成された被係止部１６４とが係止され、抜け止めがされると共に、第１取付部１０４内の第１配置部１０８に配置されるようになる。このとき、被取付部材１６２に凸部１６８が形成されていることで第１取付部１０４の第１配置部１０８内において、被取付部材１６２が上下方向に押圧するようになることで、カバー部材７６の振動等を抑制し、安定して取り付けることができるようになる。
【００７７】
次に、カバー部材７６にコネクタ部材１２を嵌合させる。カバー部材７６とコネクタ部材１２の嵌合は、図１０に示すように、コネクタ部材１２の前面１６とカバー部材７６の前面部８０とを対向させ、コネクタ部材１２の前面１６の開口部１８側をカバー部材７６の前面部８０の嵌合開口部８２から挿入させることで行われる。
【００７８】
このとき、コネクタ部材１２のコネクタハウジング１４の内側とコンタクト保持部３４との間の隙間部３６にカバー部材７６が挿入されると共に、カバー部材７６の嵌合開口部８２からコネクタ部材１２のコンタクト保持部３４が収容空間９８に挿入されるようになる。
【００７９】
なお、コネクタ部材１２の底面２８側は、カバー部材７６の底面部９０と第１取付部１０４との間の挿通溝部１２０を挿通されるようになる。さらに、コネクタ部材１２のガイド溝部４８にカバー部材７６のガイド突部９６が嵌め合わされて案内されるようになる。
【００８０】
さらに、コネクタ部材１２を挿入させると、図１０Ｃに示すように、コネクタ部材１２の上面２４に形成されたロック機構２６がカバー部材７６の上面部８６に形成された係合部８８と係合されるようになる。以上で、カバー部材７６とコネクタ部材１２との嵌合が終了する。
【００８１】
このとき、コネクタ部材１２は、被取付部材１６２に対して略水平となるように取り付けられるようになる。
【００８２】
次に、主に図１Ｂ、図３、図１１、図１２を参照して、カバー部材７６とコネクタ部材１２との嵌合方向が被取付部材１６２に対して略垂直となる場合について説明する。
【００８３】
被取付部材１６２に対してコネクタ部材１２の嵌合方向が略垂直となる場合は、図１１に示すように、カバー部材７６の後面部８４側に形成された第２取付部１２２に被取付部材１６２が取り付けられる。この取り付けは、被取付部材１６２を先端部１６６を先にして、カバー部材７６のカバーハウジング７８の他方の側面部９４側から、後面部８４に形成された第２取付部１２２の第２挿入口１２４に挿入させて行う。このとき、被取付部材１６２とカバー部材７６の取り付け方向は、コネクタ部材１２とカバー部材７６の嵌合方向に対して直交する向きとなっている。
【００８４】
また、図１１Ｃに示すように、第２取付部１２２に挿入された被取付部材１６２は、上述した被取付部材１６２を第１取付部１０４に取り付ける場合と同様に、カバー部材７６の第２取付部１２２に形成された第２係止部１２８と被取付部材１６２に形成された被係止部１６４とが係止され、抜け止めがされると共に、第２取付部１２２内の第２配置部１２６に配置されるようになる。このとき、被取付部材１６２に凸部１６８が形成されていることで第２取付部１２２の第２配置部１２６内において、被取付部材１６２が上下方向に押圧するようになることで、カバー部材７６の振動等を抑制し、安定して取り付けることができるようになる。
【００８５】
次に、カバー部材７６にコネクタ部材１２を嵌合させる。カバー部材７６とコネクタ部材１２の嵌合は、向きが異なるだけで上述した被取付部材１６２に対して水平方向に嵌合させる場合と同様であって、図１２に示すように、コネクタ部材１２の前面１６とカバー部材７６の前面部８０とを対向させ、カバー部材７６の前面部８０側を、コネクタ部材１２の前面１６の開口部１８から挿入させることで行われる。
【００８６】
このとき、コネクタ部材１２のコネクタハウジング１４の内側とコンタクト保持部３４の間の隙間部３６にカバー部材７６が挿入されると共に、カバー部材７６の嵌合開口部８２から収容空間９８にコネクタ部材１２のコンタクト保持部３４が挿入されるようになる。さらに、コネクタ部材１２のガイド溝部４８にカバー部材７６のガイド突部９６が嵌め合わされて案内されるようになる。
【００８７】
さらに、コネクタ部材１２を挿入させると、図１２Ｃに示すように、コネクタ部材１２の上面２４に形成されたロック機構２６がカバー部材７６の上面部８６に形成された係合部８８と係合されるようになる。以上で、カバー部材７６とコネクタ部材１２との嵌合が終了する。
【００８８】
このとき、コネクタ部材１２は、被取付部材１６２に対して略垂直となるように取り付けられるようになる。
【００８９】
以上で、被取付部材１６２に取り付けられたカバー部材７６へのコネクタ部材の嵌合が終了する。
【００９０】
このような構成とすることで、車両等の内部に設けられた装置等に電線により繋がれたコネクタ部材を被取付部材に取り付ける場合に、取り付けやすい向きで取り付けることができるようになる。
【００９１】
なお、実施形態１では、カバー部材７６を被取付部材１６２へ取り付ける方向を、コネクタ部材１２との嵌合方向に対して略水平方向とした場合と、略垂直方向とした場合と、について説明したが、これに限らず、被取付部材に対してコネクタ部材が取り付けしやすい方向となるように、カバー部材の取付部を形成するようにしてもよい。
【００９２】
なお、複数の取付部は、カバー部材７６を被取付部材１６２へ取り付ける方向が同一方向となるように複数個形成するようにしてもよい。例えば、コネクタ部材１２との嵌合方向に対してカバー部材を被取付部材に取り付ける方向が略水平方向又は略垂直方向となる取付部を複数形成することができる。
【００９３】
また、複数の取付部は、カバー部材７６を被取付部材１６２へ取り付ける方向が異なる方向となるものと、同一方向となるものをそれぞれ複数形成してもよい。
【００９４】
また、実施形態１では、カバー部材７６の取付部を第１取付部１０４と第２取付部１２２の２つの場合を説明したが、これに限らず、被取付部材を異なる方向や異なる向きから挿入できる３つ以上の取付部を形成してもよい。
【００９５】
また、実施形態１では、カバー部材７６を先に被取付部材１６２に取り付けた後、コネクタ部材１２とカバー部材７６を嵌合させているが、これに限らず、カバー部材とコネクタ部材を先に嵌合させ、その後、カバー部材を被取付部材に取り付けるようにしてもよい。
【００９６】
［実施形態２］
次に、図４〜図８、図１３〜図２３を参照して実施形態２のコネクタ１０Ａについて説明する。実施形態１では、被取付部材１６２が板状に形成されており、この被取付部材１６２をカバー部材７６のいずれかの取付部１０４、１２２に取り付ける構成とされている。一方、実施形態２では、被取付部材１６２Ａは、板体の一部に開口された孔部１７０を有するように形成されており、この孔部１７０に取付補助部材１４０を介してカバー部材７６を取り付ける構成となっている。なお、実施形態１の構成と共通する部分には同じ符号を付し、詳細な説明は省略する。
【００９７】
実施形態２のコネクタ１０Ａは、図１３に示すように、二輪車や自動車等の車両等の検査等に用いられる少なくとも１つのコンタクト５４が設けられたコネクタ部材１２と、このコネクタ部材１２に嵌合されるカバー部材７６と、カバー部材７６と組み合わされ、被取付部材１６２Ａに取り付けられる取付補助部材１４０と、で構成されている。
【００９８】
そして、実施形態１と同様に、実施形態２のコネクタ部材１２は、二輪車や自動車等の車両等の検査等に用いられるものとなり、検査用の装置に設けられた相手側コネクタ部材と接続されて用いられるものとなっている。一方、コネクタ部材１２が検査等に使用されない場合は、車両等の所定の場所に設けられた被取付部材に予め取り付けられた取付補助部材１４０と組み合わされたカバー部材７６に、コネクタ部材１２を嵌合させることで、コネクタ部材１２が車両等に固定され、且つ、水や粉塵等から保護されるようになる。なお、組み合わされたカバー部材７６と取付補助部材１４０をカバーユニット１３８という。
【００９９】
また、実施形態２のカバー部材７６も実施形態１と同様に、図１３Ａ、図１４に示すように、被取付部材１６２Ａに対して、コネクタ部材１２との嵌合方向が略水平方向となるように取り付けられる場合と、図１３Ｂ、図１５に示すように、被取付部材に対して、コネクタ部材１２との嵌合方向が略垂直方向となるように取り付けられる場合とが選択できる構造となっている。
【０１００】
すなわち、カバー部材７６は、図１３Ａ、図１４に示すように、取付補助部材１４０を介して被取付部材１６２Ａに対してコネクタ部材１２が水平に嵌合されるように取り付けられる場合と、図１３Ｂ、図１５に示すように、被取付部材１６２Ａに対してコネクタ部材１２が垂直に嵌合されるように取り付けられる場合となるような構成とされている。
【０１０１】
なお、実施形態２の被取付部材１６２Ａは、図１４、図１５に示すように、板体であって、この板体の一部に開口された孔部１７０が形成されている。また、実施形態２の被取付部材１６２Ａの孔部１７０は、例えば、略正方形状に形成されている。
【０１０２】
以下、各構成について説明する。なお、実施形態２のコネクタ部材１２及びカバー部材７６は、実施形態１のコネクタ部材１２及びカバー部材７６と共通するので、図４〜図８を参照すると共に、詳細な説明は省略する。
【０１０３】
まず、図１６、図１７を参照して、実施形態２のカバー部材７６と組み合わされ、カバーユニット１３８を構成する取付補助部材１４０について説明する。取付補助部材１４０は、被取付部材１６２Ａの一方の面に載置される本体部１４２を有し、この本体部１４２の一方にカバー部材７６の第１取付部１０４又は第２取付部１２２が装着され、組み合わされる装着部１４４を有し、他方に、被取付部材１６２Ａの孔部１７０に取り付けられるクリップ部１５０と、で構成されており、例えば、樹脂材料により一体に形成されている。
【０１０４】
本体部１４２は、略楕円形の板状体であって、被取付部材１６２Ａに近づくにつれて広がるような、いわゆるスカート状に形成されている。そして、この本体部１４２の最も広くなったクリップ部１５０側が被取付部材１６２Ａに載置される部分となる。
【０１０５】
また、装着部１４４は、本体部１４２の一方側、すなわち、本体部１４２が被取付部材１６２Ａに載置される側とは反対側の上方側に形成されており、略直方体状に形成されている。この装着部１４４は、カバー部材７６の第１取付部１０４又は第２取付部１２２に嵌入されて装着され、組み合わされる部分となる。
【０１０６】
装着部１４４には、略中央部にカバー部材７６の第１取付部１０４の第１係止部１１０又は第２取付部１２２の第２係止部１２８が挿通される係止溝部１４８が形成されており、この係止溝部１４８の溝を繋ぐように、第１係止部１１０の第１突部１１４又は第２係止部１２８の第２突部１３２が係止される被係止部１４９が形成されている。
【０１０７】
また、装着部１４４の両側面１４５ａ、１４５ｂ側には、カバー部材７６の第１取付部１０４又は第２取付部１２２に形成された第１支持突部１１８又は第２支持突部１３６が嵌り込み、移動される装着溝部１４６がそれぞれ形成されている。
【０１０８】
また、クリップ部１５０は、本体部１４２の略中心部分から他方側、すなわち、本体部１４２が被取付部材１６２Ａに載置される側に延設された柱状部１５２と、この柱状部１５２の端部から本体部１４２側に延設された複数、例えば、一対の弾性片部１５６とで構成されている。
【０１０９】
また、弾性片部１５６には、被取付部材１６２Ａの他方の面を支持する段状の支持部１５８をそれぞれ有し、柱状部１５２の端部から支持部１５８の間には、テーパー１６０がそれぞれ形成されている。
【０１１０】
そして、取付補助部材１４０とカバー部材７６とが組み合わされてカバーユニット１３８となる（図１８、図２１参照）。このカバーユニット１３８は、取付補助部材１４０の装着部１４４がカバー部材７６の第１取付部１０４又は第２取付部１２２に装着されることで組み合わされる。このとき、取付補助部材１４０の装着部１４４がカバー部材７６の第１取付部１０４に装着される場合と、第２取付部１２２に装着される場合とで、カバー部材７６とコネクタ部材１２の嵌合される方向が被取付部材１６２Ａに対して異なる方向とすることができるようになる。
【０１１１】
次に、実施形態２のカバーユニット１３８を構成するカバー部材７６と取付補助部材１４０の組み立て、カバーユニット１３８の被取付部材１６２Ａへの取り付け、及びカバー部材７６とコネクタ部材１２の嵌合について説明する。
【０１１２】
なお、実施形態２では、上述したようにカバーユニット１３８のカバー部材７６は、被取付部材１６２Ａに対して、コネクタ部材１２との嵌合方向が、略水平に取り付けられる場合と、略垂直に取り付けられる場合とが選択できるようになる。
【０１１３】
まず、主に図１３Ａ、図１４、図１８〜図２０を参照して、カバー部材７６とコネクタ部材１２との嵌合方向が被取付部材１６２Ａに対して略水平となる場合について説明する。
【０１１４】
被取付部材１６２Ａに対してコネクタ部材１２との嵌合方向が略水平となる場合は、まず、図１８に示すように、カバー部材７６の第１取付部１０４に取付補助部材１４０の装着部１４４を装着させる。この装着は、カバー部材７６の第１取付部１０４の第１係止部１１０が取付補助部材１４０の装着部１４４の係止溝部１４８に挿入されると共に、第１取付部１０４の各第１支持突部１１８が、装着部１４４の装着溝部１４６に嵌り込み、移動されることで行われる。
【０１１５】
そして、図１８Ｃに示すように、第１係止部１１０の第１突部１１４が装着部１４４の被係止部１４９に係止されることで、抜け止めがされると共に、被係止部１４９が第１取付部１０４内の第１配置部１０８に配置されるようになり、カバー部材７６と取付補助部材１４０の装着が完了し、カバーユニット１３８が完成する。
【０１１６】
このとき、カバー部材７６がコネクタ部材１２と嵌合する方向と、取付補助部材１４０のクリップ部１５０との軸線方向とが略直交するようになる。
【０１１７】
次に、図１９に示すように、カバーユニット１３８の取付補助部材１４０のクリップ部１５０を被取付部材１６２Ａに取り付ける。この取り付けは、被取付部材１６２Ａに形成された孔部１７０にカバーユニット１３８の取付補助部材１４０のクリップ部１５０を柱状部１５２の本体部１４２とは反対の先端１５４側から挿入することで行われる。
【０１１８】
このとき、クリップ部１５０の弾性片部１５６のテーパー１６０が孔部１７０の外周にそれぞれ当接されることで、弾性片部１５６が弾性変形しながら挿入される。さらに、クリップ部１５０を挿入させると、取付補助部材１４０の本体部１４２が被取付部材１６２Ａに当接され、弾性片部１５６のテーパー１６０が孔部１７０の外周から外れることで、弾性片部１５６の弾性変形されていた弾性力が開放され、元の位置に戻り、弾性片部１５６の支持部１５８が被取付部材１６２Ａの孔部１７０の外周を支持するように取り付けられるようになる（図１９Ｃ参照）。
【０１１９】
また、被取付部材１６２Ａは、取付補助部材１４０の本体部１４２とクリップ部１５０の各弾性片部１５６の支持部１５８により挟まれることで、取り付けられるようになっている。そして、被取付部材１６２Ａに取り付けられたカバーユニット１３８は、カバー部材７６とコネクタ部材１２の嵌合する方向が、被取付部材１６２Ａと略平行となっている。
【０１２０】
次に、図２０に示すように、カバーユニット１３８のカバー部材７６にコネクタ部材１２を嵌合させる。カバー部材７６とコネクタ部材１２の嵌合は、実施形態１のコネクタ部材１２とカバー部材７６の嵌合と同様に行われる。なお、詳細な説明は実施形態１と共通するので省略する。以上で、カバー部材７６とコネクタ部材１２との嵌合が終了する。
【０１２１】
このとき、コネクタ部材１２は、被取付部材１６２に対して略水平となるように取り付けられるようになる。
【０１２２】
次に、図１３Ｂ、図１５、図２１〜図２３を参照して、カバー部材７６とコネクタ部材１２との嵌合方向が被取付部材に対して略垂直となる場合について説明する。
【０１２３】
被取付部材１６２Ａに対してコネクタ部材１２との嵌合方向を略垂直とする場合は、まず、図２１に示すように、カバー部材７６の第２取付部１２２に取付補助部材１４０の装着部１４４を装着させる。この装着は、カバー部材７６の第２取付部１２２の第２係止部１２８が取付補助部材１４０の装着部１４４の係止溝部１４８に挿入されると共に、第２取付部１２２の各第２支持突部１３６が、装着部１４４の装着溝部１４６に嵌り込み、移動されることで行われる。
【０１２４】
そして、図２１Ｃに示すように、第２係止部１２８の第２突部１３２が装着部１４４の被係止部１４９に係止されることで、抜け止めがされると共に、被係止部１４９が第２取付部１２２内の第２配置部１２６に配置されるようになり、カバー部材７６と取付補助部材１４０の装着が完了し、カバーユニット１３８が完成する。
【０１２５】
このとき、カバー部材７６がコネクタ部材１２と嵌合する方向と、取付補助部材１４０のクリップ部１５０との軸線方向とが略平行となっている。
【０１２６】
次に、図２２に示すように、カバーユニット１３８の取付補助部材１４０のクリップ部１５０を被取付部材１６２Ａに取り付ける。この取り付けは、上述した場合と同様に、被取付部材１６２Ａに形成された孔部１７０にカバーユニット１３８の取付補助部材１４０のクリップ部１５０を柱状部１５２の先端部１６６から挿入することで行われる（図２２Ｃ参照）。なお、詳細な説明は上記と共通するので省略する。
【０１２７】
そして、被取付部材１６２Ａに取り付けられたカバーユニット１３８は、カバー部材７６とコネクタ部材１２の嵌合する方向が、被取付部材１６２Ａと略垂直となっている。
【０１２８】
次に、図２３に示すように、カバーユニット１３８のカバー部材７６にコネクタ部材１２を嵌合させる。カバー部材７６とコネクタ部材１２の嵌合は、実施形態１と同様に行われる。なお、詳細な説明は、実施形態１と共通するので省略する。以上で、カバー部材７６とコネクタ部材１２との嵌合が終了する。
【０１２９】
このとき、コネクタ部材１２は、被取付部材１６２Ａに対して略垂直となるように取り付けられるようになる。
【０１３０】
以上で、被取付部材１６２Ａに取り付けられたカバー部材７６へのコネクタ部材１２の嵌合が終了する。
【０１３１】
このような構成とすることで、電線６８により車両等の内部に設けられた装置等に繋がれたコネクタ部材１２を、被取付部材に取り付ける場合に、取り付けやすい向きで取り付けることができるようになる。また、被取付部材１６２Ａに孔部１７０が形成されているだけで、特別な形状を必要とせずにカバーユニットを取り付けることができるようになる。
【０１３２】
なお、実施形態２では、カバー部材７６を被取付部材１６２Ａへ取り付ける方向を、コネクタ部材１２との嵌合方向に対して略水平方向とした場合と、略垂直方向とした場合と、について説明したが、これに限らず、被取付部材に対してコネクタ部材が取り付けしやすい方向となるように、カバー部材の取付部を形成するようにしてもよい。
【０１３３】
また、実施形態２では、カバー部材７６の取付部を第１取付部１０４と第２取付部１２２の２つの場合を説明したが、これに限らず、被取付部材を異なる方向から挿入できる３つ以上の取付部を形成してもよい。
【０１３４】
また、実施形態２では、カバーユニット１３８を先に被取付部材１６２Ａに取り付けた後、コネクタ部材１２とカバー部材７６を嵌合させているが、これに限らず、カバーユニットのカバー部材とコネクタ部材を先に嵌合させ、その後、カバーユニットの取付補助部材を被取付部材に取り付けるようにしてもよい。
【０１３５】
また、実施形態２では、被取付部材１６２Ａの孔部１７０に取り付けるために取付補助部材１４０をカバー部材７６と組み合わせたカバーユニット１３８を用いたが、これに限らず、カバー部材に取付補助部材に形成されたクリップ部と同様の構成を例えば各取付部が形成されている位置に直接形成し、カバー部材を被取付部材の孔部に取り付けることができるようにしてもよい。
【符号の説明】
【０１３６】
１０、１０Ａ：コネクタ  １２：コネクタ部材  １４：コネクタハウジング  １６：前面  １８：開口部  ２０：後面  ２２：挿通口  ２４：上面  ２６：ロック機構  ２８：底面  ３０：一方の側面  ３２：他方の側面  ３４：コンタクト保持部  ３６：隙間部  ３８：コンタクト挿入口  ４０：コンタクト収容部  ４２：電線保持部  ４４：シール部材取付部  ４６：ランス  ４８：ガイド溝部  ５０：リテーナ挿入口  ５２：リテーナ取付部  ５４：コンタクト  ５６：接触部  ５８：接触片  ６０：電線接続部  ６２：接続片  ６４：ランス係止部  ６６：リテーナ係合部  ６８：電線  ７０：電線シール部材  ７２：リテーナ  ７４：シール部材  ７６：カバー部材  ７８：カバーハウジング  ８０：前面部  ８２：嵌合開口部  ８４：後面部  ８６：上面部  ８８：係合部  ９０：底面部  ９２：一方の側面部  ９４：他方の側面部  ９６：ガイド突部  ９８：収容空間  １００：延設部  １０４：第１取付部  １０６：第１挿入口  １０８：第１配置部  １１０：第１係止部  １１２：第１片部  １１４：第１突部  １１６：第１切り欠き部  １１８：第１支持突部  １２０：挿通溝部  １２２：第２取付部  １２４：第２挿入口  １２６：第２配置部  １２８：第２係止部  １３０：第２片部  １３２：第２突部  １３４：第２切り欠き部  １３６：第２支持突部  １３８：カバーユニット  １４０：取付補助部材  １４２：本体部  １４４：装着部  １４５ａ、１４５ｂ：側面  １４６：装着溝部  １４８：係止溝部  １４９：被係止部  １５０：クリップ部  １５２：柱状部  １５４：先端  １５６：弾性片部  １５８：支持部  １６０：テーパー  １６２、１６２Ａ：被取付部材  １６４：被係止部  １６６：先端部  １６８：凸部  １７０：孔部
【図１】
2018107073.tif 000003
【図２】
2018107073.tif 000004
【図３】
2018107073.tif 000005
【図４】
2018107073.tif 000006
【図５】
2018107073.tif 000007
【図６】
2018107073.tif 000008
【図７】
2018107073.tif 000009
【図８】
2018107073.tif 000010
【図９】
2018107073.tif 000011
【図１０】
2018107073.tif 000012
【図１１】
2018107073.tif 000013
【図１２】
2018107073.tif 000014
【図１３】
2018107073.tif 000015
【図１４】
2018107073.tif 000016
【図１５】
2018107073.tif 000017
【図１６】
2018107073.tif 000018
【図１７】
2018107073.tif 000019
【図１８】
2018107073.tif 000020
【図１９】
2018107073.tif 000021
【図２０】
2018107073.tif 000022
【図２１】
2018107073.tif 000023
【図２２】
2018107073.tif 000024
【図２３】
2018107073.tif 000025